(57)【要約】【課題】携帯無線電話機の状態を、通話者のみに音声を聞かせる状態と周囲にいる人たちに通話の内容等を伝えることができる状態との間で切り替える際に、通話が途切れる時間を極力短かくし、かつ、いずれの状態においても通話音質が低下することを回避する。【解決手段】携帯電話機１００において、筺体１００Ａのポジションを切り替えることにより、状態が切替えられる。第１の状態では通話者のみに音声が出力されるように、第１スピーカ６１から（通話モードで）音声が出力され、第２スピーカ６２からは音声が出力されない。一方、第２の状態では通話者とその周囲の者に対して音声が出力されるように、第１スピーカ６１から（ラウドモードで）音声が出力されるとともに、第２スピーカ６２からも音声が出力される。【選択図】図３
2013201494.tif 000002
【特許請求の範囲】
【請求項１】
第１の面および第２の面を含む筺体を備えた携帯無線電話機であって、
前記第１の面に備えられた第１のスピーカと、
前記第１の面に設けられた第１のマイクロフォンと、
前記第２の面に備えられた第２のスピーカと、
前記第２の面に設けられた第２のマイクロフォンと、
前記携帯無線電話機の使用者に対向する前記筺体の面を変更する操作があったことを検出するための検出手段と、
前記第１のスピーカと前記第２のスピーカの音声の出力態様を制御するための制御手段とをさらに備え、
前記制御手段は、前記検出手段が前記操作があったことを検出した場合に、前記第１のスピーカにのみ音声を出力させる第１の状態と、前記第１のスピーカおよび前記第２のスピーカに音声を出力させる第２の状態との間で前記携帯無線電話機の状態を切り替える、携帯無線電話機。
【請求項２】
前記制御手段は、前記第１のマイクロフォンに入力された音声を利用して、前記第１のスピーカおよび／または前記第２のスピーカから出力する音声信号を生成する、請求項１に記載の携帯無線電話機。
【請求項３】
前記制御手段は、
電話通話のための音声の送受信を行い、
前記第１の状態では、前記第１のマイクロフォンに入力された音声を送信し、
前記第２の状態では、前記第１のマイクロフォンに入力された音声を利用して、前記第１のスピーカおよび／または前記第２のスピーカから出力する音声信号を生成する、請求項２に記載の携帯無線電話機。
【請求項４】
前記制御手段は、前記第１のマイクロフォンに入力された音声を利用して、当該第１のマイクロフォンに入力される音声の音量が小さくなるほど、前記第１のスピーカから出力する音声の音量を小さくする、請求項２または請求項３に記載の携帯無線電話機。
【請求項５】
前記制御手段は、
電話通話のために音声の送受信を行い、
前記電話通話において、前記第１の状態では、前記第１のマイクロフォンに入力された音声を送信し、前記第２の状態では、前記第１のマイクロフォンおよび前記第２のマイクロフォンに入力された音声を送信する、請求項１に記載の携帯無線電話機。
【請求項６】
前記制御手段は、
電話通話のために音声の送受信を行い、
前記電話通話において、前記第２の状態では、前記第１のマイクロフォンに入力された音声を送信し、前記第２のマイクロフォンに入力された音声を記録する、請求項１に記載の携帯無線電話機。
【請求項７】
前記検出手段は、
前記筺体に対して印加された加速度を検出するための加速度検出手段を含み、
前記加速度検出手段の検出出力において、前記携帯無線電話機の使用者に対向する前記筺体の面を変更する加速度のパターンが検出された場合に、前記操作があったと判断する、請求項１〜請求項６のいずれかに記載の携帯無線電話機。
【請求項８】
前記第１のスピーカは、前記第１の面において、所定の方向についての一方側に位置し、
前記第１のマイクロフォンは、前記第１の面において、前記所定の方向についての他方側に位置し、
前記第２のスピーカは、前記第２の面において、前記所定の方向についての他方側に位置し、
前記第２のマイクロフォンは、前記第２の面において、前記所定の方向についての一方側に位置する、請求項１〜請求項７のいずれかに記載の携帯無線電話機。
【請求項９】
前記第１の面に設けられた表示装置をさらに備え、
前記制御手段は、前記第２の状態において前記表示装置に表示動作を実行させる、請求項１〜請求項８のいずれかに記載の携帯無線電話機。
【請求項１０】
第１の面および第２の面を含む筺体と、前記第１の面に備えられた第１のスピーカと、前記第２の面に備えられた第２のスピーカとを備えた携帯無線電話機によって実行される当該携帯無線電話機の制御方法であって、
前記携帯無線電話機の使用者に対向する前記筺体の面を変更する操作があったことを検出するステップと、
前記第１のスピーカと前記第２のスピーカの音声の出力態様を制御するステップとをさらに備え、
前記音声の出力態様を制御するステップは、前記操作があったことが検出された場合に、前記第１のスピーカにのみ音声を出力させる第１の状態と、前記第１のスピーカおよび前記第２のスピーカに音声を出力させる第２の状態との間で前記携帯無線電話機の状態を切り替える、携帯無線電話機の制御方法。
【請求項１１】
第１の面および第２の面を含む筺体と、前記第１の面に備えられた第１のスピーカと、前記第２の面に備えられた第２のスピーカとを備えた携帯無線電話機のコンピュータによって実行される当該携帯無線電話機の制御プログラムであって、
前記制御プログラムは、前記コンピュータに、
前記携帯無線電話機の使用者に対向する前記筺体の面を変更する操作があったことを検出するステップと、
前記第１のスピーカと前記第２のスピーカの音声の出力態様を制御するステップとを実行させ、
前記音声の出力態様を制御するステップは、前記操作があったことが検出された場合に、前記第１のスピーカにのみ音声を出力させる第１の状態と、前記第１のスピーカおよび前記第２のスピーカに音声を出力させる第２の状態との間で前記携帯無線電話機の状態を切り替える、携帯無線電話機の制御プログラム。
【発明の詳細な説明】
【技術分野】
【０００１】
本発明は、携帯無線電話機、その制御方法、および、その制御プログラムに関し、特に、複数のスピーカを有する携帯無線電話機、その制御方法、および、その制御プログラムに関する。
【背景技術】
【０００２】
従来から、複数のスピーカを備える携帯端末に関し、複数のスピーカの音声出力の態様についての技術が種々提案されている。
【０００３】
たとえば、特許文献１（特開平４−３０２２４４号公報）には、ハンドセットを、送話部や受話部の方向性を意識することなく、どの方向に持っても通話可能な電話機が開示されている。当該電話機では、ハンドセットの両側のそれぞれに、スピーカとマイクロホンが配置されている。そして、当該電話機では、両側にそれぞれに配置されたスピーカのそれぞれから、両側のそれぞれに配置されたマイクロホンにエコーとして入力される信号と逆位相信号を出力する疑似エコー発生部を介して、加算器に、それぞれのマイクロホンの出力が接続される。これにより、送話送信部からは送話音声信号のみが出力するようにされている。
【０００４】
特許文献２（特開２００４−１４０８５２号公報）および特許文献３（特開２００１−２８５４３３号公報）には、通話者以外の者にも通話内容を聞かせることができる携帯無線電話機が開示されている。当該携帯無線電話機では、その上端部の表面と裏面にはそれぞれスピーカが設けられ、また、下端部の表面と裏面にはそれぞれマイクが設けられている。携帯無線電話機において、通常の通話動作では、表面のスピーカとマイクが利用される。そして、携帯無線電話機のユーザが通話音声を他のユーザにも受話音声を聞かせることを希望した場合、当該ユーザが特定のボタンを操作することにより、当該携帯無線電話機は、ハンズフリー通話モードへと切り換えられる。当該モードでは、表面のスピーカに加えて裏面のスピーカからも、受話音声が出力される。
【先行技術文献】
【特許文献】
【０００５】
【特許文献１】特開平４−３０２２４４号公報
【特許文献２】特開２００４−１４０８５２号公報
【特許文献３】特開２００１−２８５４３３号公報
【発明の概要】
【発明が解決しようとする課題】
【０００６】
特許文献２および特許文献３に開示されたような技術においてユーザが携帯無線電話機をハンズフリー通話モードに切り替えようとした場合、上記したようにボタン操作を必要とされる。このような場合、ユーザは、ボタンの位置を確認した上で当該ボタンを操作する必要があり、比較的長い時間、通話が途切れる事態が想定される。
【０００７】
また、ハンズフリー通話モードで通話した場合、マイクが口元から離れる事態が想定されるため、マイクが通話者の声を集音しにくくなり、通話品質が低下するという事態も想定される。つまり、メインの通話者が現在の通話品質を保持しつつ（端末を耳元および口元に密着させた状態で）、通話の内容やそれに伴う情報（例えば通話相手の情報）のみ周囲の人に伝えたい場合、上記したようなハンズフリー通話モードは適さない。
【０００８】
本発明は、かかる実情に鑑み考え出されたものであり、その目的は、携帯無線電話機の状態を、通話者のみに音声を聞かせる状態と周囲にいる人たちに通話の内容等を伝えることができる状態との間で切り替える際に、通話が途切れる時間を極力短かくし、かつ、いずれの状態においても通話音質が低下することを回避することである。
【課題を解決するための手段】
【０００９】
本発明に従った携帯無線電話機は、第１の面および第２の面を含む筺体を備えた携帯無線電話機であって、第１の面に備えられた第１のスピーカと、第１の面に設けられた第１マイクロフォンと、第２の面に備えられた第２のスピーカと、第２の面に設けられた第２マイクロフォンと、携帯無線電話機の使用者に対向する筺体の面を変更する操作があったことを検出するための検出手段と、第１のスピーカと第２のスピーカの音声の出力態様を制御するための制御手段とをさらに備え、制御手段は、検出手段が操作があったことを検出した場合に、第１のスピーカにのみ音声を出力させる第１の状態と、第１のスピーカおよび第２のスピーカに音声を出力させる第２の状態との間で携帯無線電話機の状態を切り替える。
【００１０】
好ましくは、制御手段は、第１マイクロフォンに入力された音声を利用して、第１のスピーカおよび／または第２のスピーカから出力する音声信号を生成する。
【００１１】
好ましくは、制御手段は、電話通話のための音声の送受信を行い、第１の状態では、第１マイクロフォンに入力された音声を送信し、第２の状態では、第１マイクロフォンに入力された音声を利用して、第１のスピーカおよび／または第２のスピーカから出力する音声信号を生成する。制御手段は、第１マイクロフォンに入力された音声を利用して、当該第１マイクロフォンに入力される音声の音量が小さくなるほど、第１のスピーカから出力する音声の音量を小さくする。
【００１２】
好ましくは、制御手段は、電話通話のために音声の送受信を行い、電話通話において、第１の状態では、第１マイクロフォンに入力された音声を送信し、第２の状態では、第１マイクロフォンおよび第２マイクロフォンに入力された音声を送信する。
【００１３】
好ましくは、制御手段は、電話通話のために音声の送受信を行い、電話通話において、第２の状態では、第１マイクロフォンに入力された音声を送信し、第２マイクロフォンに入力された音声を記録する。
【００１４】
好ましくは、検出手段は、筺体に対して印加された加速度を検出するための加速度検出手段を含み、加速度検出手段の検出出力において、携帯無線電話機の使用者に対向する筺体の面を変更する加速度のパターンが検出された場合に、操作があったと判断する。
【００１５】
好ましくは、第１のスピーカは、第１の面において、所定の方向についての一方側に位置し、第１マイクロフォンは、第１の面において、所定の方向についての他方側に位置し、第２のスピーカは、第２の面において、所定の方向についての他方側に位置し、第２マイクロフォンは、第２の面において、所定の方向についての一方側に位置する。
【００１６】
好ましくは、第１の面に設けられた表示装置をさらに備え、制御手段は、第２の状態において表示装置に表示動作を実行させる。
【００１７】
本発明に従った携帯無線電話機の制御方法は、第１の面および第２の面を含む筺体と、第１の面に備えられた第１のスピーカと、第２の面に備えられた第２のスピーカとを備えた携帯無線電話機によって実行される当該携帯無線電話機の制御方法であって、携帯無線電話機の使用者に対向する筺体の面を変更する操作があったことを検出するステップと、第１のスピーカと第２のスピーカの音声の出力態様を制御するステップとをさらに備え、音声の出力態様を制御するステップは、操作があったことが検出された場合に、第１のスピーカにのみ音声を出力させる第１の状態と、第１のスピーカおよび第２のスピーカに音声を出力させる第２の状態との間で携帯無線電話機の状態を切り替える。
【００１８】
本発明に従った携帯無線電話機の制御プログラムは、第１の面および第２の面を含む筺体と、第１の面に備えられた第１のスピーカと、第２の面に備えられた第２のスピーカとを備えた携帯無線電話機のコンピュータによって実行される当該携帯無線電話機の制御プログラムであって、制御プログラムは、コンピュータに、携帯無線電話機の使用者に対向する筺体の面を変更する操作があったことを検出するステップと、第１のスピーカと第２のスピーカの音声の出力態様を制御するステップとを実行させ、音声の出力態様を制御するステップは、操作があったことが検出された場合に、第１のスピーカにのみ音声を出力させる第１の状態と、第１のスピーカおよび第２のスピーカに音声を出力させる第２の状態との間で携帯無線電話機の状態を切り替える。
【発明の効果】
【００１９】
本発明によれば、ユーザは、筺体に特定の加速度を印加することによって、携帯無線電話機において、第１の面でのみ音声を出力させるか、第１の面と第２の面の双方において音声を出力させるかを、切り替えることができる。これにより、切り替えのための操作がボタン操作ではなく筺体への加速度の印加であるため、ユーザは、ボタンを探す等の煩雑な動作を必要とされない。
【００２０】
また、周囲にいる人たちに通話の内容等を伝える際、第１の面と第２の面の複数の面から音声が出力されるため、ユーザは、その耳や口から携帯無線電話機の筺体を離すことなく通話を継続できる。これにより、携帯無線電話機において、通話が途切れる時間を短くすることができ、かつ、第１の状態と第２の状態のいずれにおいても通話音質の低下を回避できる。
【図面の簡単な説明】
【００２１】
【図１】本発明の携帯無線電話機（携帯電話機）の一実施の形態の外観の一例を示す図である。
【図２】携帯電話機の表面と裏面における要素の配置を説明するための図である。
【図３】携帯電話機の特有の機能の一部が発揮される使用態様を説明するための図である。
【図４】携帯電話機のハードウェア構成の具体例を示す図である。
【図５】入出力制御部の機能構成を説明するための図である。
【図６】携帯電話機の筺体の回転移動に応じた制御内容を説明するためのフローチャートである。
【図７】変形例の携帯電話機の表面と裏面における要素の配置を説明するための図である。
【図８】変形例の携帯電話機の表面と裏面における要素の配置を説明するための図である。
【図９】変形例の携帯電話機における第１の状態と第２の状態の一例を示す図である。
【発明を実施するための形態】
【００２２】
以下、本発明の携帯無線電話機の実施の形態について、図面を参照して説明する。なお、以下の説明において、同一の機能および作用を有する要素については、同じ各図を通して同じ符号を付し、重複する説明を繰返さない。
【００２３】
＜携帯電話機の外観＞
図１は、本発明の携帯無線電話機（以下、単に「携帯電話機」という）の一実施の形態の外観の一例を示す図である。
【００２４】
図１（Ａ）は、携帯電話機１００の表面の平面図である。図１（Ｂ）は、携帯電話機１００の裏面の平面図である。
【００２５】
図１（Ａ）に示された携帯電話機１００の筺体１００Ａの表面には、液晶ディスプレイ等の表示装置からなる表示部１４と、第１スピーカ６１と、第１マイクロフォン（以下、「マイクロフォン」は「マイク」と略す）５１とが設けられている。当該面において、表示部１４は、中央部に設けられている。第１スピーカ６１は、上部に設けられている。第１マイク５１は、下部に設けられている。携帯電話機１００の電話通話において、第１スピーカ６１は、受話音声を出力し、送話音声は、第１マイク５１を介して入力される。
【００２６】
図１（Ｂ）に示された携帯電話機１００の筺体１００Ａの裏面には、第２スピーカ６２と、第２マイク５２とが設けられている。当該面において、第２スピーカ６２は、下部に設けられている。第２マイク５２は、上部に設けられている。携帯電話機１００の電話通話では、第２スピーカ６２が、受話音声を出力し、また、送話音声が、第２マイク５２を介して入力される場合もあり得る。
【００２７】
図２は、携帯電話機１００の表面と裏面における要素の配置を説明するための図である。図２を参照して、携帯電話機１００では、第１スピーカ６１の裏側には第２マイク５２が設けられ、第１マイク５１の裏側には第２スピーカ６２が設けられている。つまり、携帯電話機１００では、２つのスピーカ（第１スピーカ６１と第２スピーカ６２）が、表面と裏面の対角位置に配置されている。また、携帯電話機１００では、２つのマイク（第１マイク５１と第２マイク５２）が、表面と裏面の対角位置に配置されている。
【００２８】
＜携帯電話機の動作概要＞
図３は、携帯電話機１００の特有の機能の一部が発揮される使用態様を説明するための図である。
【００２９】
図３（Ａ）には、ユーザが、表示部１４が設けられた面を顔面に対向させて、携帯電話機１００で通話をしている状態が示されている。この状態では、携帯電話機１００の、ユーザの顔面に対向した面（第２スピーカ６２および第２マイク５２が設けられた面の裏側の面）では、第１スピーカ６１から音声が出力され、第１マイク５１は音声の入力を受け付ける。第１スピーカ６１は、ユーザの耳にあてられる。このとき、第２スピーカ６２からは音声は出力されない。また、第２マイク５２に入力された音声が、送話音声として通話相手に送信されることはない。
【００３０】
なお、この状態では、携帯電話機１００は、第２マイク５２に対する音声の入力を受け付けなくともよいし、第２マイク５２に対する音声の入力を受け付けて、当該音声を第１スピーカ６１から出力する音声に対するノイズキャンセル機能を実現するために利用してもよい。第２マイク５２に入力されたノイズキャンセル機能の実現には、公知の技術を採用することができるため、本明細書では詳細な説明を繰り返さない。
【００３１】
図３（Ｂ）には、図３（Ａ）に示された状態から、矢印Ｒ１で示されるように、筺体１００Ａの上下方向の中心を軸として１８０°回転された状態が示されている。この状態では、携帯電話機１００の、ユーザの顔面に対向した面（第１スピーカ６１および第１マイク５１が設けられた面の裏側の面）では、第２スピーカ６２がユーザの耳にあてられ、第２マイク５２は音声の入力を受け付ける。この状態では、第１スピーカ６１からも音声が出力される。これにより、上記ユーザは、携帯電話機１００での通話中に、周辺にいる者に対しても、受話音声を聞かせることができる。また、この状態では、表示部１４において情報が表示されてもよい。表示される内容としては、たとえば、通話相手に対してプッシュ音声を送信するためのキーパッドであってもよいし、その他のいかなる表示内容であってもよい。
【００３２】
本明細書では、図３（Ａ）に示されたようなユーザのみに対して受話音声が出力される状態を「第１の状態」という。また、図３（Ｂ）に示されたようなユーザだけでなくその周辺に存在する者に対しても受話音声が出力される状態を「第２の状態」という。
【００３３】
＜携帯電話機のブロック構成＞
図４は、携帯電話機１００のハードウェア構成の具体例を示す図である。
【００３４】
図４を参照して、携帯電話機１００は、携帯電話機１００全体を制御するための演算装置であるＣＰＵ（Central  Processing  Unit）１０と、ＣＰＵ１０で実行されるプログラムなどを記憶するためのＲＯＭ（Read  Only  Memory）１１と、ＣＰＵ１０でプログラムを実行する際の作業領域として機能するためのＲＡＭ（Random  Access  Memory）１２と、携帯電話機１００に対する操作入力を受付けるための操作部１５と、ＣＰＵ１０によって実行されるプログラム等を保存するための記憶装置１６と、記憶媒体にアクセスしてそこからファイルを読み出したり書き込んだりするためのメディアコントローラ１７と、ＬＡＮ等のネットワークを介した通信の制御のためにモデム等により構成される通信装置１８とを含む。
【００３５】
操作部１５は、たとえば筺体１００Ａに設けられるボタンなどの、入力装置によって実現される。なお、操作部１５は、タッチセンサによって実現され、表示部１４と一体的に、タッチパネルとして実現される場合も有り得る。
【００３６】
本実施の形態では、たとえば、ＣＰＵ１０が適切なプログラムを実行することにより、本明細書に記載された携帯電話機１００の機能の少なくとも一部が実現される。
【００３７】
ＣＰＵ１０が実行するプログラムおよび本明細書において記憶装置１６に格納されていると言及される情報は、携帯電話機１００本体に対して着脱可能な記憶媒体に記憶されていても良い。記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。また、ＣＰＵ１０が実行されるプログラムは、ネットワークを介して記憶装置１６にインストールされる場合も有り得る。
【００３８】
携帯電話機１００は、さらに、筺体１００Ａに対して印加された加速度を検出するための加速度センサ７１と、筺体１００Ａの表示部１４が設けられた面に対して所定の距離内に物体が位置することを検出するための近接センサ７２を含む。これらの検出出力は、ＣＰＵ１０に入力される。
【００３９】
記憶装置１６には、図３の矢印Ｒ１で例示されるような、筺体１００Ａをユーザの顔面に対して裏返すような移動パターンに対応する、加速度センサ７１の検出出力のパターンが格納されている。ＣＰＵ１０は、加速度センサ７１から入力された検出出力が当該パターンに該当するものであると判断したとき、筺体１００Ａの位置が、図３（Ａ）に示されたものと図３（Ｂ）に示されたもののとの間で切り替えられたと判断することができる。
【００４０】
また、ＣＰＵ１０は、近接センサ７２の検出出力に基づいて、筺体１００Ａの状態が、図３（Ａ）に示されたもの（表示部１４が備えられた面にユーザの顔が近接している状態）と、図３（Ｂ）に示された状態のとの間で切り替えられたか否かを判断することができる。
【００４１】
携帯電話機１００では、表示部１４における表示態様、ならびに、第１スピーカ６１および第２スピーカ６２からの音声の出力態様を制御する入出力制御部５０が設けられている。入出力制御部５０は、専用の回路基板によって実現されても良いし、ＣＰＵ１０が所定のプログラムを実行することによって実現されても良い。
【００４２】
入出力制御部５０は、第１マイク５１および第２マイク５２から入力される音声信号の取り扱いも制御する。たとえば、これらのいずれか一方に入力された音声を、通信装置１８を介して携帯電話機１００の通話相手に送信し、他方に入力された音声を第１スピーカ６１および／または第２スピーカ６２から出力する音声信号の生成の際のノイズキャンセル機能の実現において利用する。たとえば、第１マイク５１に入力された音声が通話相手に送信される場合、第２マイク５２に入力された音声の音量が小さくなるほど、第１スピーカ６１および／または第２スピーカ６２から出力される音声の音量が小さく制御される。また、第２マイク５２に入力された音声が通話相手に送信される場合、第１マイク５１に入力された音声の音量が小さくなるほど、第１スピーカ６１および／または第２スピーカ６２から出力される音声の音量が小さく制御される。
【００４３】
＜入出力制御部の機能構成＞
図５は、入出力制御部５０の機能構成を説明するための図である。
【００４４】
図５を参照して、入出力制御部５０において、加速度センサ７１からの検出出力は、セット反転検出部５１０において処理される。
【００４５】
セット反転検出部５１０は、加速度センサ７１からの検出出力の入力を受け付けるセンサ感度取得部５１１と、筺体１００Ａが第１の状態（図３（Ａ））から第２の状態（図３（Ｂ））に切り替えられたときの検出出力のパターンを保持するセット反転前センサ感度記録部５１２と、筺体１００Ａが第２の状態（図３（Ｂ））から第１の状態（図３（Ａ））に切り替えられたときの検出出力のパターンを保持するセット反転後センサ感度記録部５１３と、比較部５１４とを含む。
【００４６】
比較部５１４は、センサ感度取得部５１１に入力された加速度センサ７１の検出出力を、セット反転前センサ感度記録部５１２に保持されるパターン、および、セット反転後センサ感度記録部５１３に保持されるパターンと比較する。そして、いずれかに保持されるパターンと、所定の度合い以上でマッチングした場合には、調整部５３１に、信号を出力する。具体的には、セット反転前センサ感度記録部５１２に保持されるパターンと所定の度合い以上でマッチングした場合には第１の状態から第２の状態に回転したことを示す信号を出力し、セット反転後センサ感度記録部５１３に保持されるパターンと所定の度合い以上でマッチングした場合には第２の状態から第１の状態に回転したことを示す信号を出力する。
【００４７】
通話ポジション検出部５２０は、近接センサ７２からの検出出力が処理される。
通話ポジション検出部５２０は、近接センサ７２からの検出出力の入力を受け付けるセンサ感度取得部５２１と、図３（Ａ）に示されるように筺体１００Ａの表示部１４を設けられた面に物体（ユーザの顔等）が近接している状態に対応する近接センサ７２の検出出力のパターンを保持するセット反転前センサ感度記録部５２２と、図３（Ｂ）に示されるように筺体１００Ａの表示部１４を設けられた面に物体が近接していない状態に対応する近接センサ７２の検出出力のパターンを保持するセット反転後センサ感度記録部５２３と、比較部５２４とを含む。
【００４８】
比較部５２４は、センサ感度取得部５２１に入力された近接センサ７２の検出出力を、セット反転前センサ感度記録部５２２に保持されるパターン、および、セット反転後センサ感度記録部５２３に保持されるパターンと比較する。そして、いずれかに保持されるパターンと、所定の度合い以上でマッチングした場合には、調整部５３１に、信号を出力する。具体的には、セット反転前センサ感度記録部５２２に保持されるパターンと所定の度合い以上でマッチングした場合には第１の状態から第２の状態に回転したことを示す信号を出力し、セット反転後センサ感度記録部５２３に保持されるパターンと所定の度合い以上でマッチングした場合には第２の状態から第１の状態に回転したことを示す信号を出力する。
【００４９】
調整部５３１は、セット反転検出部５１０と通話ポジション検出部５２０の双方から、所定の時間内の時間差で、同じ種類の信号（第１の状態から第２の状態への回転を示す信号、または、第２の状態から第１の状態への回転を示す信号）の入力を受けた場合、切替制御部５３２に、音声の出力態様の変更を指示する。これに応じて、切替制御部５３２は、音声制御部５３４に対して、変更を指示する。
【００５０】
音声制御部５３４は、第１マイク５１および／または第２マイク５２から入力される音声信号を処理し、また、増幅部５３５の動作を制御する。増幅部５３５は、第１スピーカ６１および第２スピーカ６２からの音声の出力態様を制御する。
【００５１】
切替制御部５３２は、携帯電話機１００における電話通話が開始されると、初期状態として、第１マイク５１から入力された音声を通信装置１８を介して通話相手に送信し、通話相手からの受話音声を第１スピーカ６１から出力する。そして、調整部５３１から、筺体１００Ａが第１の状態から第２の状態に切り替えられたことに基づく指示を受けると、切替制御部５３２は、第２マイク５２から入力された音声を通信装置１８を介して通話相手に送信し、通話相手からの受話音声を第１スピーカ６１および第２スピーカ６２から出力する。さらに、調整部５３１から、筺体１００Ａが第２の状態から第１の状態に切り替えられたことに基づく指示を受けると、切替制御部５３２は、第１マイク５１から入力された音声を通信装置１８を介して通話相手に送信し、通話相手からの受話音声を第１スピーカ６１から出力する。
【００５２】
切替制御部５３２は、また、表示部１４における表示動作を制御する場合もある。具体的には、切替制御部５３２は、電話通話の初期状態として、近接センサ７２の検出出力が表示部１４の設置面に物体が近接しないと判断した場合にのみ表示部１４における表示を行ない、そして、それ以外の場合には表示部１４における表示を停止する。そして、調整部５３１から、筺体１００Ａが第１の状態から第２の状態に切り替えられたことに基づく指示を受けると、切替制御部５３２は、近接センサ７２からの検出出力の内容に関わらず、表示部１４における表示動作を継続させる。そして、調整部５３１から、筺体１００Ａが第２の状態から第１の状態に切り替えられたことに基づく指示を受けると、表示部１４に対する制御内容を、上記初期状態に戻す。
【００５３】
これにより、携帯電話機１００では、図３（Ａ）に示された状態では、第２スピーカ６２からは音声は出力されず、通話者以外には受話音声は聞こえない。一方、図３（Ｂ）に示された状態では、通話者は第２スピーカ６２で受話音声を聞くことができる上に、第１スピーカ６１で受話音声が出力されるため、通話者以外も受話音声を聞くことができる。さらに、図３（Ｂ）に示された状態では、表示部１４において種々の情報が表示され得る。
【００５４】
＜入出力制御処理＞
図６は、携帯電話機１００の筺体１００Ａの回転移動に応じた制御内容を説明するためのフローチャートである。
【００５５】
図６を参照して、携帯電話機１００において通話機能が始動（通話相手への発信、通話の受信、等）されると、入出力制御部５０は、ステップＳ１０で、第１マイク５１と第１スピーカ６１をＯＮし、第２マイク５２と第２スピーカ６２をＯＦＦする。これにより、初期状態として上記したように、第１マイク５１と第１スピーカ６１が通話に利用される。具体的には、第１マイク５１に入力された音声が通話相手へと送信され、第１スピーカ６１から受話音声が出力される。なお、第２マイク５２に入力された音声は通話相手には送信されない。また、第２スピーカ６２からは受話音声は出力されない。
【００５６】
次に、入出力制御部５０は、ステップＳ２０で、筺体１００Ａの反転が検出されたか否かを判断する。具体的には、調整部５３１が、比較部５１４，５２４からの出力に基づいて第１の状態から第２の状態または第２の状態から第１の状態への回転があったか否かを判断する。そして、回転があったと判断するステップＳ３０へ処理を進め、なかったと判断するとステップＳ６０へ処理を進める。
【００５７】
ステップＳ３０では、入出力制御部５０は、回転後の携帯電話機１００の通話ポジションを検出する。そして、入出力制御部５０は、回転後の通話ポジションが表通話（図３（Ａ）の第１の状態）であると判断ステップＳ５０へ処理を進め、回転後の通話ポジションが裏面通話（図３（Ｂ）の第１の状態）であると判断ステップＳ４０へ処理を進める。
【００５８】
ステップＳ３０における判断は、上記したように比較部５１４と比較部５２４から出力された内容を特定することによって実現されても良いし、回転後の加速度センサ７１の検出出力に基づいて筺体１００Ａの向きを特定し、当該特定された向きが、図３を参照して説明したような第１の状態または第２の状態のいずれに該当するかを特定することによって実現されても良い。
【００５９】
入出力制御部５０は、ステップＳ４０では、第１マイク５１をＯＦＦし、第２マイク５２と第２スピーカ６２と第１スピーカ６１をＯＮする。これにより、第２マイク５２と第２スピーカ６２と第１スピーカ６１が通話に利用される。具体的には、第２マイク５２に入力された音声が通話相手へと送信され、第２スピーカ６２から受話音声が出力される。なお、ステップＳ４０では、第１スピーカ６１の音声の出力態様は、ステップＳ１０で説明したような初期状態とは異なるモードとされる。具体的には、初期状態では、第１スピーカ６１の音声出力態様は通話モードとされ、近づけられているユーザの耳に適した音量（および音質）で音声を出力する。一方、ステップＳ４０では、第１スピーカ６１の音声出力態様はラウドモードとされ、図３（Ｂ）に示されたように広い箇所に音声を発するのに適した音量（および音質）で音声を出力する。
【００６０】
なお、ステップＳ４０では、基本的には、第１マイク５１に入力された音声は通話相手には送信されない。ただし、オプションで、第２マイク５２に入力された音声とともに第１マイク５１に入力された音声が通話相手に送信されても良い。また、他のオプションとして、第１マイクに入力された音声は、第１スピーカ６１および／または第２スピーカ６２から出力される音声に対するノイズキャンセル機能を実現するために利用されても良い。
【００６１】
ステップＳ５０では、入出力制御部５０は、ステップＳ１０と同様に初期状態にセットして、ステップＳ６０へ処理を進める。
【００６２】
ステップＳ６０では、入出力制御部５０は、携帯電話機１００において通話が継続されているか否かを判断し、継続されていると判断するとステップＳ２０へ処理を戻し、通話が終了したと判断すると、入出力制御処理を終了させる。
【００６３】
＜変形例＞
以上説明した本実施の形態では、図３（Ａ）の第１の状態と図３（Ｂ）の第２の状態との間で筺体１００Ａの状態が入れ替えられることによって、通話時の第１スピーカ６１と第２スピーカ６２の音声の出力態様が制御される。なお、携帯電話機１００の表面と裏面における要素の配置は、図２に示されたものに限定されない。図７および図８は、携帯電話機１００の表面と裏面における要素の配置の変形例を説明するための図である。
【００６４】
図７および図８を参照して、携帯電話機１００の変形例である携帯電話機１００Ｘでは、第１スピーカ６１の裏側には第２スピーカ６２が設けられている。また、第１マイク５１の裏側には第２マイク５２が設けられている。つまり、携帯電話機１００Ｘでは、２つのスピーカ（第１スピーカ６１と第２スピーカ６２）が、表面と裏面の対応する位置に配置されている。また、携帯電話機１００Ｘでは、２つのマイク（第１マイク５１と第２マイク５２）が、表面と裏面の対向する位置に配置されている。
【００６５】
図９は、携帯電話機１００の変形例の携帯電話機１００Ｘにおける第１の状態と第２の状態の一例を示す図である。
【００６６】
携帯電話機１００Ｘでは、図９（Ａ）に示される第１の状態から、矢印Ｒ２に示されるように水平方向に沿うような回転方向に筺体１００Ａが回転されると、図９（Ｂ）に示される第２の状態へと移行する。携帯電話機１００Ｘでは、第１の状態と第２の状態の間では、筺体１００Ａの上下は反転しない。
【００６７】
携帯電話機１００Ｘにおいても、図６を参照して説明したような入出力制御処理が実行される。当該処理によって、図９（Ａ）の第１の状態では通話者のみに音声が出力されるように、第１スピーカ６１から（通話モードで）音声が出力され、第２スピーカ６２からは音声が出力されない。一方、図９（Ｂ）の第２の状態では通話者とその周囲の者に対して音声が出力されるように、第１スピーカ６１から（ラウドモードで）音声が出力されるとともに、第２スピーカ６２からも音声が出力される。
【００６８】
また、以上説明した本実施の形態では、調整部５３１は、セット反転検出部５１０（比較部５１４）と通話ポジション検出部５２０（比較部５２４）の双方から、所定の時間内の時間差で、同じ種類の信号の入力を受けた場合に、切替制御部５３２に、音声の出力態様の変更を指示していた。なお、調整部５３１は、これらのうちいずれか一方から信号の入力を受けたことを条件として、切替制御部５３２に、音声の出力態様の変更を指示していた。
【００６９】
さらに、携帯電話機１００において、加速度センサ７１の搭載が省略されても良い。この場合、入出力制御部５０では、セット反転検出部５１０は省略される。調整部５３１は、通話ポジション検出部５２０（比較部５２４）からのみの出力に基づいて、切替制御部５３２に上記したような指示を出力する。
【００７０】
また、携帯電話機１００において、近接センサ７２の搭載が省略されても良い。この場合、入出力制御部５０では、通話ポジション検出部５２０は省略される。調整部５３１は、セット反転検出部５１０（比較部５１４）からのみの出力に基づいて、切替制御部５３２に上記したような指示を出力する。
【００７１】
今回開示された実施の形態および変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態およびその変形例に記載の発明は、可能な限り、単独でもしくは組み合わされて実施されることが意図される。
【符号の説明】
【００７２】
１４  表示部、１５  操作部、１６  記憶装置、１８  通信装置、５０  入出力制御部、５１  第１マイク、５２  第２マイク、６１  第１スピーカ、６２  第２スピーカ、７１  加速度センサ、７２  近接センサ、１００，１００Ｘ  携帯電話機、１００Ａ  筺体、５１０  セット反転検出部、５１１，５２１  センサ感度取得部、５１２，５２２  セット反転前センサ感度取得部、５１３，５２３  セット反転後センサ感度記録部、５１４，５２４  比較部、５２０  通話ポジション検出部、５３１  調整部、５３２  切替制御部、５３４  音声制御部、５３５  増幅部。
【図１】
2013201494.tif 000003
【図２】
2013201494.tif 000004
【図３】
2013201494.tif 000005
【図４】
2013201494.tif 000006
【図５】
2013201494.tif 000007
【図６】
2013201494.tif 000008
【図７】
2013201494.tif 000009
【図８】
2013201494.tif 000010
【図９】
2013201494.tif 000011